(57)【要約】【課題】タッチパネル式のディスプレイを採用した場合であっても、操作性および視認性を満足させる。【解決手段】施設設備を監視管理するための複数の画面データを生成する画面データ生成手段２と、画面データ生成手段２により生成された複数の画面データを記録する記録手段３と、記録手段３から表示対象である複数の画面データを抽出し、当該複数の画面データを縮小・合成して１枚の縮小合成画面データを生成する縮小合成画面データ生成手段４と、縮小合成画面データ生成手段４により生成された縮小合成画面データを転送する転送手段５と、転送手段５により転送された縮小合成画面データを表示する表示手段６とを備えた。【選択図】図１
2015087784.tif 000002
【特許請求の範囲】
【請求項１】
施設設備を監視管理する施設管理装置において、
前記施設設備を監視管理するための複数の画面データを生成する画面データ生成手段と、
前記画面データ生成手段により生成された複数の画面データを記録する記録手段と、
前記記録手段から表示対象である複数の画面データを抽出し、当該複数の画面データを縮小・合成して１枚の縮小合成画面データを生成する縮小合成画面データ生成手段と、
前記縮小合成画面データ生成手段により生成された縮小合成画面データを転送する転送手段と、
前記転送手段により転送された縮小合成画面データを表示する表示手段と
を備えたことを特徴とする施設管理装置。
【請求項２】
前記表示手段により表示された縮小合成画面データの中から特定の画面データの選択を受付ける選択受付手段を備え、
前記転送手段は、前記選択受付手段により特定の画面データの選択が受付けられた場合に、前記記録手段から当該画面データを抽出して前記表示手段に転送し、
前記表示手段は、前記転送手段により転送された画面データを通常サイズで表示する
ことを特徴とする請求項１記載の施設管理装置。
【請求項３】
施設設備を監視管理する施設管理方法において、
前記施設設備を監視管理するための複数の画面データを生成する画面データ生成ステップと、
前記画面データ生成ステップにおいて生成した複数の画面データを記録する記録ステップと、
前記記録ステップにおいて記録した画面データから表示対象である複数の画面データを抽出し、当該複数の画面データを縮小・合成して１枚の縮小合成画面データを生成する縮小合成画面データ生成ステップと、
前記縮小合成画面データ生成ステップにおいて生成した縮小合成画面データを転送する転送ステップと、
前記転送ステップにおいて転送した画面データを表示する表示ステップと
を有することを特徴とする施設管理方法。
【発明の詳細な説明】
【技術分野】
【０００１】
この発明は、施設設備を監視管理する施設管理装置および施設管理方法に関するものである。
【背景技術】
【０００２】
従来から、プラントや建物などにおける施設管理装置では、施設設備の各種管理ポイントの状態監視や制御を行うためのプログラムを選択して、施設設備の監視管理を行なっている。この際、監視画面については、複数の画面データ（ウィンドウ）を同時に表示するマルチウィンドウ方式を採用している（例えば特許文献１〜３参照）。
【先行技術文献】
【特許文献】
【０００３】
【特許文献１】特開２００４−２８０５０８号公報
【特許文献２】特開２００９−１６３４５８号公報
【特許文献３】特開２０１０−１２８７１４号公報
【発明の概要】
【発明が解決しようとする課題】
【０００４】
一方、小規模の施設管理装置では、省スペースでの運用を実現するため、壁掛け型のものを用いている。この壁掛け型の装置では、キーボード／マウスを置くスペースがないため、タッチパネル付きのディスプレイを採用している。しかしながら、マルチウィンドウ方式における画面切替えや移動は繊細なマウス操作が必要であり、タッチパネルでは操作性が著しく低下してしまうという課題がある。
一方、この操作性を損なわないようにするために、１枚の画面データを切替えて表示するシングルウィンドウ方式を採用することも考えられる。しかしながら、この場合、複数の画面データに渡って作業を行う必要がある場合にその画面表示に時間がかかり、満足のある操作性を実現することが難しいという課題がある。また、情報量が１枚分になってしまい、ユーザのより多くの情報を見たいという要求にこたえることができないという課題がある。
【０００５】
この発明は、上記のような課題を解決するためになされたもので、タッチパネル式のディスプレイを採用した場合であっても、操作性および視認性を満足することができる施設管理装置および施設管理方法を提供することを目的としている。
【課題を解決するための手段】
【０００６】
この発明に係る施設管理装置は、施設設備を監視管理するための複数の画面データを生成する画面データ生成手段と、画面データ生成手段により生成された複数の画面データを記録する記録手段と、記録手段から表示対象である複数の画面データを抽出し、当該複数の画面データを縮小・合成して１枚の縮小合成画面データを生成する縮小合成画面データ生成手段と、縮小合成画面データ生成手段により生成された縮小合成画面データを転送する転送手段と、転送手段により転送された縮小合成画面データを表示する表示手段とを備えたものである。
【０００７】
また、この発明に係る施設管理方法は、施設設備を監視管理するための複数の画面データを生成する画面データ生成ステップと、画面データ生成ステップにおいて生成した複数の画面データを記録する記録ステップと、記録ステップにおいて記録した画面データから表示対象である複数の画面データを抽出し、当該複数の画面データを縮小・合成して１枚の縮小合成画面データを生成する縮小合成画面データ生成ステップと、縮小合成画面データ生成ステップにおいて生成した縮小合成画面データを転送する転送ステップと、転送ステップにおいて転送した画面データを表示する表示ステップとを有するものである。
【発明の効果】
【０００８】
この発明によれば、上記のように構成したので、タッチパネル式のディスプレイを採用した場合であっても、操作性および視認性を満足することができる。
【図面の簡単な説明】
【０００９】
【図１】この発明の実施の形態１に係る施設管理装置の構成を示す図である。
【図２】この発明の実施の形態１に係る施設管理装置の動作を示すフローチャートである。
【図３】この発明の実施の形態１に係る施設管理装置による縮小合成画面データの生成を説明する図である。
【発明を実施するための形態】
【００１０】
以下、この発明の実施の形態について図面を参照しながら詳細に説明する。
実施の形態１．
実施の形態１では、マルチウインドウ方式を採用し、表示対象の画面データを縮小して並べて表示することでシングルウインドウのように見せる手法について示す。図１はこの発明の実施の形態１に係る施設管理装置の構成を示す図である。
施設管理装置は、施設設備（不図示）の監視管理を行うものであり、表示装置（不図示）にキーボード／マウスを有しないタッチパネル式のディスプレイを採用したものである。この施設管理装置は、図１に示すように、データ取得手段１、画面データ生成手段２、記録手段３、縮小合成画面データ生成手段４、転送手段５、表示手段６および選択受付手段７から構成されている。
【００１１】
データ取得手段１は、定期的に、予め定義された施設設備の管理ポイントから所定のデータを取得するものである。
【００１２】
画面データ生成手段２は、データ取得手段１により取得されたデータに基づいて、所定の画面生成プログラムに従い、施設設備を監視管理するための複数の画面データを生成するものである。なお、画面生成プログラムとしては、例えばグラフィック画面、トレンド画面、日報／月報画面、機器運転スケジュール設定画面を生成するためのプログラムなどが挙げられる。
【００１３】
記録手段３は、画面データ生成手段２により生成された複数の画面データを記録するものである。なお、記録手段３に記録される画面データは、データ取得手段１により取得された最新のデータに基づくものであり、リアルタイムにデータ更新が行われる。
【００１４】
縮小合成画面データ生成手段４は、記録手段３から表示対象である複数の画面データを抽出し、当該複数の画面データを縮小・合成して１枚の縮小合成画面データを生成するものである。
【００１５】
転送手段５は、縮小合成画面データ生成手段４により生成された縮小合成画面データを転送するものである。また、転送手段５は、選択受付手段７により特定の画面データの選択が受付けられた場合には、記録手段３から当該画面データを抽出して表示手段６に転送する。
【００１６】
表示手段６は、転送手段５により転送された縮小合成画面データを表示装置のディスプレイに表示するものである。また、表示手段６は、転送手段５により画面データが転送された場合には、当該画面データを通常サイズで表示装置のディスプレイに表示する。
【００１７】
選択受付手段７は、表示手段６により表示された縮小合成画面データの中から特定の画面データの選択を受付けるものである。この際、ユーザは、ディスプレイに表示された縮小合成画面データの所望の画面データ部分をタッチすることによって、画面選択を行う。
【００１８】
次に、上記のように構成された施設管理装置の動作について、図２，３を参照しながら説明する。
施設管理装置の動作では、図２に示すように、まず、データ取得手段１は、定期的に、予め定義されている施設設備の管理ポイントから所定のデータを取得する（ステップＳＴ１）。
【００１９】
次いで、画面データ生成手段２は、データ取得手段１により取得されたデータに基づいて、所定の画面生成プログラムに従い、施設設備を監視管理するための複数の画面データを生成する（ステップＳＴ２、画面データ生成ステップ）。
【００２０】
次いで、記録手段３は、画面データ生成手段２により生成された複数の画面データを記録する（ステップＳＴ３、記録ステップ）。なお、記録手段３は、画面データ生成手段２により画面データが生成される度に、リアルタイムにデータ更新を行う。
【００２１】
次いで、縮小合成画面データ生成手段４は、例えば図３に示すように、記録手段３から表示対象である複数の画面データを抽出し、当該複数の画面データを縮小・合成して１枚の縮小合成画面データを生成する（ステップＳＴ４、縮小合成画面データ生成ステップ）。図３の例では、４枚の画面データ（第１〜第４の画面データ１１ａ〜１１ｄ）を抽出して、それぞれ１／４の大きさに縮小して１枚に合成することで、縮小合成画面データ１２を生成している。
【００２２】
次いで、転送手段５は、縮小合成画面データ生成手段４により生成された縮小合成画面データを転送する（ステップＳＴ５、転送ステップ）。
【００２３】
次いで、表示手段６は、転送手段５により転送された縮小合成画面データを表示装置のディスプレイに表示する（ステップＳＴ６、表示ステップ）。そして、ユーザはこの縮小合成画面データを用いて通常監視を行う。
このように、表示対象である複数の画面データを１枚の縮小合成画面データに変換して表示することで、従来のマルチウィンドウ方式における画面切替えや移動は不要となる。また、従来のシングウィンドウ方式における画面切替えも不要となり、かつ、ユーザが要求する情報量を満足することができる。よって、操作性および視認性に問題が生じることはなく、監視業務を効率化することができる。
【００２４】
次いで、選択受付手段７は、表示手段６により表示された縮小合成画面データの中から特定の画面データの選択を受付ける（ステップＳＴ７、選択受付ステップ）。この際、ユーザは、ディスプレイに表示された縮小合成画面データの所望の画面データ部分をタッチすることによって、画面選択を行う。
【００２５】
次いで、転送手段５は、記録手段３から選択受付手段７による受付けられた画面データを抽出し、表示手段６に転送する（ステップＳＴ８、転送ステップ）。
【００２６】
次いで、表示手段６は、転送手段５により転送された画面データを通常サイズで表示装置のディスプレイに表示する（ステップＳＴ９、表示ステップ）。このように、ディスプレイに表示された縮小合成画面データに対し、より詳しく表示したい場合や操作したい場合にユーザが所望の画面データを選択することで、当該画面データを通常サイズで表示することができる。これにより、操作性および操作性をより高めることができ、監視業務をより効率化することができる。
【００２７】
以上のように、この実施の形態１によれば、表示対象である複数の画面データを縮小・合成した１枚の縮小合成画面データを表示し、より詳しく表示したい場合や操作を行う場合に所望の画面データを通常サイズで表示するように構成したので、タッチパネル式のディスプレイを採用した施設管理装置であっても、操作性および視認性を満足することができ、監視業務の効率化を図ることができる。また、縮小合成画面データでは、監視状態をリアルタイムで更新することが可能である。また、縮小合成画面データを生成する際に独自にデータを収集する必要ななく、生成した縮小合成画面データを表示手段６に転送するだけでよいため、余分にシステムへの負荷をかけることもない。
【００２８】
なお、本願発明はその発明の範囲内において、実施の形態の任意の構成要素の変形、もしくは実施の形態の任意の構成要素の省略が可能である。
【符号の説明】
【００２９】
１  データ取得手段
２  画面データ生成手段
３  記録手段
４  縮小合成画面データ生成手段
５  転送手段
６  表示手段
７  選択受付手段
１１ａ〜１１ｄ  画面データ
１２  縮小合成画面データ
【図１】
2015087784.tif 000003
【図２】
2015087784.tif 000004
【図３】
2015087784.tif 000005